(57)【特許請求の範囲】
【請求項１】
オルゴールであって、前記オルゴールは、
振動ブレード（３）が振動するときに異なる周波数の可聴音を生成するように異なる長さの複数の前記振動ブレード（３）が備えられたコーム（３０）と、
プレート若しくはシリンダ（２）が回転するときに異なる前記振動ブレード（３）を交互に振動させるようにチップ（２０）が備えられた前記プレート若しくは前記シリンダ（２）と、
前記振動ブレード（３）によって作動される視覚的なアニメーション装置（４、５）とを含んで構成され、
前記視覚的なアニメーション装置（４、５）は、前記振動ブレード（３）の変位によって発射されるように、前記振動ブレード（３）によって作動されるべく配置された複数の発射体（５）を含んで構成されていることを特徴とするオルゴール。
【請求項２】
前記発射体（５）は、前記振動ブレード（３）のそれぞれに関連付けられている請求項１記載のオルゴール。
【請求項３】
前記振動ブレードが前記発射体（５）を上向きに発射させ、そして前記発射体（５）を重力の影響下に逆戻りさせることを許容するように配置されている請求項１または２に記載のオルゴール。
【請求項４】
前記発射体（５）が前記振動ブレード上に逆戻りすることを確実にするために、保持要素（６、９、１１）がそれぞれの発射体（５）に関連付けられている請求項１から３のいずれか一項に記載のオルゴール。
【請求項５】
前記発射体（５）を発射させた前記振動ブレード（３）上にその発射体（５）が逆戻りすることを確実にするために、それぞれの発射体（５）に関連付けられている前記保持要素としてのチューブ（１１）を含んで構成されている請求項４に記載のオルゴール。
【請求項６】
前記チューブ（１１）の数は、前記振動ブレード（３）の数に等しい請求項５に記載のオルゴール。
【請求項７】
前記チューブ（１１）は、少なくとも部分的に透明である請求項５または６に記載のオルゴール。
【請求項８】
前記チューブ（１１）は、上向きに漸拡している請求項５から７のいずれか一項に記載のオルゴール。
【請求項９】
前記チューブ（１１）は、ランダムな配置で配列されている請求項５から８のいずれか一項に記載のオルゴール。
【請求項１０】
前記チューブ（１１）の複数は、単一の射出成形プラスチック要素を形成している請求項５から９のいずれか一項に記載のオルゴール。
【請求項１１】
前記チューブ（１１）のそれぞれは、上向きに配置されていて、前記チューブの底から前記発射体（５）が飛び出すことを防止するためのリテーナを含んで構成される請求項５から１０のいずれか一項に記載のオルゴール。
【請求項１２】
各発射体に関連付けられた保持要素としてのロッド（９）を含んで構成され、前記ロッドは、前記発射体の変位の際に回転および／または変形する請求項４に記載のオルゴール。
【請求項１３】
各発射体に関連付けられた保持要素としてのワイヤ（６）を含んで構成される請求項４に記載のオルゴール。
【請求項１４】
前記ワイヤ（６）のそれぞれは、前記発射体（５）を通して通過させる請求項１３に記載のオルゴール。
【請求項１５】
前記ワイヤ（６）のそれぞれは、さらに前記振動ブレード（３）または前記振動ブレード（３）上方の減衰ブレードを通して通過させる請求項１４に記載のオルゴール。
【請求項１６】
前記振動ブレードのそれぞれの上方の中間ブレードを含んで構成され、前記中間ブレードのそれぞれは、対応する前記振動ブレード（３）により振動され、そして対応する前記発射体に対して、この振動を伝達する請求項１から１５のいずれか一項に記載のオルゴール。
【請求項１７】
前記発射体は、合成材料からなるビーズで構成されている請求項１から１６のいずれか一項に記載のオルゴール。
【請求項１８】
前記発射体は、貴石または半貴石またはセラミック石で構成されている請求項１から１６のいずれか一項に記載のオルゴール。
【発明の詳細な説明】
【技術分野】
【０００１】
本発明は、視覚的なアニメーションを備えたオルゴールに関する。
【背景技術】
【０００２】
オルゴールは、クランクを回すか、またはスプリングがキーによって引き伸ばされたときに音楽を生成する。シリンダオルゴールは、楽しむこと、または装飾目的で18世紀後半から生産されている。
【０００３】
これらのオルゴールは、定められた順序で上昇し解放するスパイクを備えたシリンダと、金属のコームと完全に認められるブレードとを含んでいる。ブレードの長さの異なる振動は、シリンダ上のピンの位置によって定められるトラックの様々な曲譜を生成する。
【０００４】
一部の高度なオルゴールは、スパイクの別のセットを提示するためにシリンダをわずかにシフトさせることにより、曲を変更することができることを可能とする。他のオルゴールでは、シリンダは、円盤またはプレートに置き換えられる。
【０００５】
オルゴールは、例えばキャビネットボックスに統合されて、それ自体が目的物であるか、または、例えば振り子、スナッフボックスなどのような他の目的物の中に統合することができる。
【０００６】
本出願では、簡略化のために、そのメカニズムが異なる機能を達成する目的物の中に統合されたとしても「オルゴール」という用語を使用する。
【０００７】
これらのオルゴールを役立たせるために、視覚的アニメーションを装備することが知られており、それは例えばシリンダの速度に関連した速度で旋回するダンサー、ソングバードなどである。
【０００８】
しかしながら、アニメーションの速度は、シリンダまたはトレイ上のピンの位置によって決定される音楽のリズムから独立したものとなっている。
【発明の概要】
【発明が解決しようとする課題】
【０００９】
したがって、本発明の目的は、既知のアニメーションとは異なる視覚的なアニメーションを備えたオルゴールを提案することである。
【００１０】
別の目的は、再生される楽曲に依存する視覚的なアニメーションを備えたオルゴールを提供することにある。
【課題を解決するための手段】
【００１１】
本発明によれば、これらの目的が以下を含むオルゴールによって特に達成される。
振動ブレードが振動するときに異なる周波数の可聴音を生成するように異なる長さの複数の振動ブレードが備えられたコーム：
プレート若しくはシリンダが回転するときに異なる振動ブレードを交互に振動させるようにチップが備えられたプレート若しくはシリンダ；
利点は、ディスクまたはシリンダ上のチップの位置、つまり演奏曲に依存するアニメーションを生成することである。
【００１２】
例えば、メロディのリズムが、アニメーション装置の異なる部分での変位の回数を決定することができる。
【００１３】
例えば、演奏される曲譜のシーケンスが、そのシーケンスに従って動くアニメーション装置のコンポーネントを決定し、演奏される曲譜を視覚化することを可能にする。
【００１４】
視覚的なアニメーション装置は、異なるブレードまたはチップによって独立して作動するいくつかの構成要素を含ませることができる。
【００１５】
視覚的なアニメーション装置は、ブレードが振動するときに上方に発射されるように、これらブレードによって作動されるべく配置された複数の発射体を含ませることができる。
【００１６】
発射体は、それぞれのブレードに関連付けることができる。
【００１７】
発射体は、ボールで構成されてもよく、例えばビーズとすることができる。
【００１８】
発射体がブレード上に逆戻りすることを確実にするために保持要素を、それぞれの発射体に関連付けることができる。
【００１９】
保持要素は、チューブ内の発射体がその発射体を発射したブレード上に逆戻りすることを確実にするために、それぞれの発射体に関連付けられたチューブで構成することができる。
【００２０】
チューブの数は、ブレードの数に等しくすることができる。
【００２１】
発射体が発射されたときに少なくともそれら発射体の軌道の一部で、発射体を視認するために、チューブは少なくとも部分的に透明とすることができる。
【００２２】
発射体が意図した場所に逆戻りすることを確実にする一方で、チューブと軌道の上方での発射体との間での接触の危険性を最小限にするように、チューブは、上向きに漸拡させてもよい。
【００２３】
チューブは、直列に配置することができる。
【００２４】
チューブは、それぞれのチューブの直径とチューブ内のそれぞれの発射体を拡大するたに、ランダムな配列で配置することができる。
【００２５】
いくつかのチューブは、単一の射出成形プラスチック要素に一緒に組み込ませることができる。
【００２６】
それぞれのチューブは、上向きに配置することができる。
【００２７】
それぞれのチューブは、発射体を、対応する振動ブレードに接触させるための開口部を含むことができる。
【００２８】
それぞれのチューブは、発射体が逆戻りしたときに、チューブの底から抜け出ることを防止するためのリテーナを含むことができる。
【００２９】
ロッドは、それぞれの発射体に関連付けられた保持要素として使用することができる。このロッドは、発射体の変位の際に回転および/または変形することができる。
【００３０】
可撓性のワイヤまたは剛性のロッドは、それぞれの発射体に関連付けられた保持要素として使用することができる。
【００３１】
発射体は、たとえば合成材料、金属、ガラスなどで製造することができる。
【００３２】
中間ブレードを、発せられる音を減衰するために、それぞれの振動ブレードに関連付けてもよい。
【００３３】
逆戻りする発射体のノイズを減衰するために、発射体を、この減衰ブレード上に逆戻りさせることができる。
【００３４】
発射体は、たとえばダイヤモンドのような貴石、ジルコニウム、カットガラスなどのような半貴石、セラミックスで製造することができる。
【００３５】
発射体は、軟質の材料および/またはコームのブレードの材料よりも低い密度で製造することができる。
【００３６】
発射体は、発射体が逆戻りした後に、ブレードの振動を減衰するための減衰器として機能することができる。
【００３７】
本発明の実施形態は、添付した以下の図面によって説明される。
【図面の簡単な説明】
【００３８】
【図１】図１は、本発明の第１実施形態に係るオルゴールの全体図を示す。
【図２】図２は、本発明の第６の実施形態に係るオルゴールの全体図を示す。
【図３】図３は、本発明の第２実施形態に係るオルゴールの全体図を示す。
【図４】図４は、本発明の第３の実施形態に係るオルゴールの全体図を示す。
【図５Ａ】図５Ａは、本発明の第４の実施形態に係るオルゴールのブレードの斜視図である。
【図５Ｂ】図５Ｂは、本発明の第４の実施形態に係るオルゴールのブレードの上面図である。
【図６】図６は、本発明の第５の実施形態に係るオルゴールの全体図を示す。
【図７】図7は、本発明の第６の実施形態に係るオルゴールの全体図を示す。
【図８】図８は、本発明の第７の実施形態に係るオルゴールの全体図を示す。
【図９Ａ】図９Ａは、コームのブレードが、シリンダのチップによって振動させられる方法を示す図である。
【図９Ｂ】図９Ｂは、コームのブレードが、シリンダのチップによって振動させられる方法を示す図である。
【図９Ｃ】図９Ｃは、コームのブレードが、シリンダのチップによって振動させられる方法を示す図である。
【図９Ｄ】図９Ｄは、コームのブレードが、シリンダのチップによって振動させられる方法を示す図である。
【図１０】図１０は、本発明において使用することができるチューブの側面図で第１の例を示す図である。
【図１１】図１１は、本発明において使用することができるチューブの平面図で第１の例を示す図です。
【図１２】図１２は、本発明において使用することができるチューブの第２の例の側面図を示す。
【図１３】図１３は、チューブを可視化するためのウインドウを含むオルゴールを示す。
【発明を実施するための形態】
【００３９】
第1の実施形態のオルゴールは、図１に側面図として示されている。
【００４０】
オルゴールは、シリンダ２が搭載されたフレーム１を備えている。シリンダ２は、図示しない機構により回転することができ、それは例えばクランク、速度制御器に関連したバレルなどである。シリンダ２の外周にはチップ２０が付与されていて、その配置によりオルゴールによって演奏される曲が決定される。
【００４１】
これらのチップ２０は、音符を生成するようにコームのブレード３を振動させることを可能にする。
【００４２】
図面では一つだけのブレード３を示しているが、コームが紙面に対して垂直な平面内で複数のブレード３を含んでおり、ブレード３の長さが音符に対応するように調整されていることが理解されるであろう。
【００４３】
コームは、ソケット３２とネジ３１によってシリンダ２とは反対の右上で固定されている。ここまではオルゴールは従来どおりである。
【００４４】
シリンダ２は、また、チップ２０を装備したプレートに置き換えることができる。シリンダ２は、複数の一連のチップ２０を備えることができ、その位置に応じて異なる曲を再生するように、紙面に対して垂直な方向に従ってシフトすることを許容する機構を設けてもよい。シリンダ２は、他の曲に対応する他のシリンダによって交換可能であってもよい。
【００４５】
さらに、本実施形態のオルゴールは、ブレード３の振動によって上方に発射されるように意図された発射体５のセットを含んでいる。発射体５は、例えばボールで構成され、ビーズを含み、真上に発射されるに十分に軽く構成することができる。そのボールは、合成物質、金属、ガラス、または任意の他の材料で作られ、この目的のために使用することができる。また、それは、例えば、円筒状の発射体のような非球形の発射体を使用することも可能である。
【００４６】
一つの実施形態では、発射体５は、石で構成することができ、たとえばダイヤモンドのような貴石、ジルコニウムなどの半貴石、合成石、セラミック石で構成される。石は、虹の効果を生成するためのファセットを備える、及び/又は、カットされる。この変形は、特に数センチメートルまたは数十センチメートルの高さに石を発射することが可能な比較的大型のオルゴールに適している。
【００４７】
直接、ガラスの下で、ガラスおよびダイヤルに平行に、石をより短い距離で変位させて、たとえば腕時計にオルゴールを埋め込むことに適用してもよい。
【００４８】
発射体５は、それぞれの振動ブレード３に関連付けることができる。それぞれの発射体５は、色を有したり、異なる側面を有していてもよい。たとえば異なる長さを有する異なるブレード３によって伝達される運動エネルギーの差を補償するように異なる発射体５の質量は、異なっていてもよい。
【００４９】
オルゴールは、さらに、望ましくない方向に発射されることによって発射体が紛失されることを予防するために保持手段を含んで構成することができる。本実施形態では、保持手段は、チューブ４で構成され、例えばチューブ４は、透明、半透明または部分的に透明なチューブで構成され、その中で発射体５が変位する。チューブ４は、それぞれのブレード３およびそれぞれの発射体５に関連付けることができる。
【００５０】
チューブ４は、機構を含んでおり、この図に示されていないボックス内に固定されてもよい。チューブ４の部分は、ボックスの上方に延長させてもよい。
【００５１】
チューブ４は、それらの下端における開口を含んでおり、それにより、振動ブレード３がチップ２０の作用の下で振動したときにこれらの振動ブレード３がチューブ４内で発射体５に当たることを可能とする。リテーナは、たとえば環状の保持器または環状の要素であり、発射体５がこれらのチューブ４から底部より離脱することを防止する。しかしながら、発射体５の一部分は、対応する振動ブレードによって当たることが可能となるように、チューブ４の下から外に出ている。
【００５２】
チューブ４の上端は、ボックスが裏返しにされたり、または揺り動かされたりしたときに、発射体５の紛失を防止するために閉じられてもよく、または発射体５が上昇したときに、チューブ４の上部における空気の圧縮を防止するために開放されていてもよい。リテーナは、また、完全にチューブ４を妨げることなく、発射体５がチューブ４から離脱することを防止するために、チューブ４の上部に設けられていてもよい。
【００５３】
また、発射体５が逆戻りしたときの衝撃を低減するために、それぞれの振動ブレード３の上面の少なくとも一部に、減衰のカーペットまたはコーティングを施すことも可能である。
【００５４】
図２は、第1の実施形態に係るオルゴールの斜視図を示す。
【００５５】
コーム３０の異なるブレード３およびコーム３０の上に整列された異なるチューブ１１は、それぞれのブレード３の上方のチューブ１１と一緒に、この斜視図に特に示されている。
【００５６】
図３は、図１と同様の別の実施例を示している。
【００５７】
発射体５は、たとえばオルゴールのカバー上で保持された可撓性のワイヤ４によって吊るされている。可撓性のワイヤ４は、発射体５の紛失を防止するための保持手段としてのチューブ１１と置換されており、ホックの付いた発射体が、対応する振動ブレード３に当たったときに変形される。
【００５８】
図４は、第３の実施形態を示しており、それぞれの発射体５には、剛性のワイヤ４が貫通する孔が開いており、例えば透明なワイヤが、ネックレスのワイヤ上の真珠と同様にして発射体５を通過させる。
【００５９】
ワイヤ４の下端のランチャ８は、ブレード３の衝撃時に受信された運動エネルギーを発射体５に伝達することができ、発射体５は、その後、剛性のワイヤ４に沿って上昇する。
【００６０】
この解決法は、チューブの使用を回避して、発射体５のよりよい見栄えを可能にする。
【００６１】
図５Ａおよび図５Ｂは、第４の実施形態を示しており、図４の実施形態と同様に、それぞれの発射体５には、ピンと張られたワイヤ６、たとえば透明のワイヤが貫通する孔が開けられている。
【００６２】
中間ブレード３３は、それぞれの振動ブレード３の上方に搭載されている。それは、このワイヤ６が貫通する終端に向けて垂直に突出する部分３３０を含んでいる。
【００６３】
中間ブレード３３は、対応する振動ブレード３が作動したときに振動させられる。
【００６４】
有利には、静止時に、発射体５が、その部分３３０に置かれ、メインの振動ブレード３がシリンダ２のチップ２０によって作動されたときに、そのメインの振動ブレード３によって、この中間ブレード３３に対して伝達される振動によって空中に発射される。
【００６５】
図４のバージョンに関して、この解決法は、振動が直接に中間ブレード３３によって発射体５に伝達されるために、ランチャ８および剛性のワイヤ４の使用を回避することを可能にする。
【００６６】
中間ブレード３３は、有利には、鋼製の振動ブレード３よりも柔らかい材料によって作られており、それは発射体５が逆戻りしたとき、特に例えば貴石またはガラスの発射体５であるときに発射体５の破損の危険あるいは騒音を回避することを可能にする。
【００６７】
この中間ブレード３３は、さらに、メインの振動ブレード３の振動を減衰することを可能にし、したがって放射される音の持続時間を減少させることを可能にする。
【００６８】
また、異なる振動ブレード３の上方に配置された異なる中間ブレード３３の厚さは、振動ブレード３の長さに対応する発射体５に伝達されるエネルギーの差を少なくとも部分的に補償するために変化させることができ、したがって、音符にかかわらずに発射体５の出射される高さを一定にすることができる。
【００６９】
最終的に、中間ブレード３３は、また、振動ブレード３の振動を減衰し、そして音符が演奏される間の時間を制御し、そして次のチップ２０との衝突の危険性を低減するための減衰器として作用する。
【００７０】
また、それぞれの中間ブレード３３の上面の少なくとも一部に、発射体５が逆戻りしたときの衝撃を低減するために、減衰のカーペットまたはコーティングを施すことも可能である。
【００７１】
図６は、第５の実施形態を示しており、ピアノのハンマーと同様に、ロッド９の第１の端部に発射体５が固定され、ロッド９の他方の端部が水平軸９０を中心に回動可能となっている。
【００７２】
ブレード３の振動は、発射体５に伝達され、発射体５は、その後、軸９０の軸周りにロッド９と一緒に回転する。ロッド９の直径は、好ましくは、ロッド９の重量を軽減し、発射体５が到達する最大高さを増加させるために、減少される。微細なロッドの危険性は柔軟であることであるために、発射体が発射されていないロッド９が水平位置にあるときの発射体５と、水平軸９０との間に、示されていない支持体を設けることが可能である。その支持体は、また、ロッド９のためのガイドとして機能することができ、そして、この目的のために、ロッド９の回転中にロッド９を案内するための垂直なガイドスロットを設けてもよい。
【００７３】
静止時に、それぞれのロッド９は、対応するブレード３の上方での正確な位置決めを保証するためのスロットの中に挿入することができる。
【００７４】
図７は、第６の実施形態を示しており、発射体５は、ファンネル状に上方に漸拡しているチューブ１１内に保持されている。
【００７５】
この解決法では、発射体５が逆戻りする前に、発射体５と、対応するチューブ１１の壁との間における衝突の危険なしに、発射体５が、厳密には垂直ではない方向に従うことを促進させることができる。開放されたチューブ１１の上部は、上部から発射体５を見られるように透明カバーによって閉じられていてもよく、開いていてもよい。
【００７６】
また、異なる発射体５と共有している単一の直線のチューブまたファンネル状のチューブを設けることも可能である。したがって発射体５を空中に発射したブレード３上にその発射体５が逆戻りしないという危険性はあるが、この実施形態では、ブレード３を近接させることが可能となり、透明であろうが発射体５の視認性を妨げる内壁を回避することが可能となる。
【００７７】
ユーザーが例えば容器を回したり、振ったりして、発射体５を逆戻りさせることを決定する前に発射体を収容するために、1つまたは複数のバスケットまたは他の容器をチューブの上に設けることも可能である。したがって、この実施形態は、例えば、これらの容器に、より容易に称賛されるべき装飾的な、または貴重な発射体５に適合している。
【００７８】
一つの実施形態では、それぞれの発射体５は、水平な、または傾斜したプレート内に、たとえば複数のハウジングのような、いくつかの可能性のある容器内に着地させることができる。
【００７９】
さらにオルゴールは、宝くじやスキルゲームを構成することができ、発射体５が着地した容器の数に対応する数値を生成することができる。発射体５がプレート内における小さな孔を通過しなければならないゲームを提供することも可能である。さらに目的は、ほとんどの発射体５を、与えられた時間内に、この開口部を通過させることに成功することである。
【００８０】
図８は、図５Ａ、図５Ｂの変形例としての第７の実施形態を示しており、中間ブレード３３は、それぞれのチューブ４の底部と、対応する振動ブレード３との間に設けられている。
【００８１】
中間ブレード３３の下または振動ブレード３上に設けられたハンマー３４によって、対応する振動ブレード３が作動したときに中間ブレード３３は振動する。
【００８２】
有利には、発射体５は、この中間ブレード３３上にセットされ、静止された状態にされて、そしてメインの振動ブレード３によってこの中間ブレード３３に対して伝達された振動によって空中に発射される。
【００８３】
図５の変形例として、中間ブレード３３は、減衰のブレードであり、有利には、鋼製の振動ブレード３よりも柔らかい材料で作られており、そして、ことによると制振材で被覆されている。
【００８４】
図９Ａから図９Ｄは、振動ブレード３がシリンダ２のチップ２０によって振動される方法を示している。振動ブレード３が図９Ｄの位置で、最初に上向きに振動すると、発射体５が上方に推進される。
【００８５】
コームのそれぞれ個別のブレード３の上方で発射体５を保持する働きをする異なるチューブ１１は、図１０および図１１に示されるように、たとえば異なるチューブを溶接し、または接着することによって、あるいはいくつかのプラスチックのチューブを並べて射出成形することによって、一体的に組み立てることができる。
【００８６】
図１２の有利な実施形態に示すように、チューブは複数の列で配置されてもよく、たとえば２列に、例えばランダムに配置することができる。この配置は、発射体５をより見やすくするために、チューブの直径、したがって、発射体５の直径を大きくすることを可能にする。
【００８７】
チューブ１１および発射体５の直径は、オルゴールのサイズに依存する。発射体５は、それらの質量を低減するように十分に小さくしなければならないが、見えるように十分に大きくなければならない。満足のいくテストでは、１ミリメートルから５ミリメートルの間のピッチだけ離間したコームのブレード３と協働して1．５ミリメートルから４ミリメートルの間に含まれる直径のビーズで行われた。
【００８８】
上述したオルゴールの機構は、たとえば、ボックス内に配置されるか、または例えば振り子、スナッフボックスなどの別の目的物内に配置することができる。
【００８９】
図１３に示す変形例では、このオルゴール１０は、コームとシリンダを隠す窓１４を含んでいるが、チューブ１１が見えるようにすることを許容しており、したがってオルゴールの外側から発射体５の移動が見えるようにすることを可能にする。したがって、その装置は、短い間隔で演奏される音符に対応する発射体５が煩雑に空中に存在するイコライザのようにみえる。
【００９０】
上述したオルゴールのメカニズムは、たとえばガラスに平行な方向に対応して、ガラスの下で、石やその他の発射体５を移動させるために、時計のケース内に配置することができる。
【００９１】
移動の方向は、このケースに対して必ずしも垂直である必要はなく、それは、少なくとも要求される短い距離を超えて、必然的にブレードを減少させて、比較的重い石の移動を可能にする。    
【００９２】
石は、重力によって、あるいは、垂直位置に時計を位置決めすることによって、あるいは例えば弾性手段のような適合するリターン手段によって、ブレード上に戻すことができる。
【図１】
0006621467.tif 000002
【図２】
0006621467.tif 000003
【図３】
0006621467.tif 000004
【図４】
0006621467.tif 000005
【図５Ａ】
0006621467.tif 000006
【図５Ｂ】
0006621467.tif 000007
【図６】
0006621467.tif 000008
【図７】
0006621467.tif 000009
【図８】
0006621467.tif 000010
【図９Ａ】
0006621467.tif 000011
【図９Ｂ】
0006621467.tif 000012
【図９Ｃ】
0006621467.tif 000013
【図９Ｄ】
0006621467.tif 000014
【図１０】
0006621467.tif 000015
【図１１】
0006621467.tif 000016
【図１２】
0006621467.tif 000017
【図１３】
0006621467.tif 000018